(57)【要約】      （修正有）【課題】上部形状が丸みを帯びている容器からなる商品を複数段に積み上げても、当該商品がすべり落ちるのを防止することができるすべり防止ラベル付容器を提供する。【解決手段】すべり防止ラベル付容器は、粘着剤層、紙層、ポリエチレン層の順で積層されてなる薄層の粘着剤層側を容器本体の底部に貼着してなる。【選択図】図１
0003133476.tif 000002
【実用新案登録請求の範囲】
【請求項１】
粘着剤層、紙層、静摩擦係数１２以上のポリエチレン層の順で積層されてなる薄層の粘着剤層側を容器本体の底部に貼着してなることを特徴とする容器。
【請求項２】
前記薄層に印刷が施されてなる請求項１記載の容器。
【考案の詳細な説明】
【技術分野】
【０００１】
本考案は、すべり防止ラベル付容器に関する。さらに詳しくは、粘着剤層、紙層、ポリエチレン層の順で積層されてなる薄層の粘着剤層側を容器本体の底部に貼着してなることを特徴とする容器に関する。
【背景技術】
【０００２】
現在、店頭に並んでいる化粧品など容器に充填されて市場に出される商品は円筒状のものや、多角柱のものが多い。かかる商品のデザインは、顧客が商品を選ぶ上で重要な判断基準となっており、表面が丸みを帯びているものなど容器のデザインは多様化傾向にある。一方、店でそれらの商品を陳列する際に、店内の棚のスペースを有効に活用するため、商品を２段ないしは３段に積み上げることが多い。
【０００３】
しかしながら、叙上のごとき商品の表面は金属や樹脂、ガラス等からなるものが多く、積み上げた際にすべりやすい。したがって商品の上部形状が丸みを帯びている場合には積み上げて陳列することが困難であり、商品を効率良く陳列できないという問題があった。さらに無理に積み上げて商品を陳列し、商品が床に落下してしまった場合には、容器が破損したり、売り物にならなくなったり、返品せざるを得ないという問題も付随的に生じている。
【考案の開示】
【考案が解決しようとする課題】
【０００４】
本考案は、上部形状が丸みを帯びている容器からなる商品を複数段に積み上げても、当該商品がすべり落ちるのを防止することができるすべり防止ラベル付容器を提供することを目的とする。
【課題を解決するための手段】
【０００５】
本考案の容器は、粘着剤層、紙層、ポリエチレン層の順で積層されてなる薄層の粘着剤層側を容器本体の底部に貼着してなることを特徴とする。
【０００６】
また、前記薄層に商品説明のための印刷が施されてもよい。その場合には印刷は前記紙層に施される。
【０００７】
また、前記ポリエチレン層が透明または半透明であることが好ましい。
【０００８】
また、前記容器の形状は、略円筒状であってもよいし、多角柱であってもよい。
【０００９】
また、前記容器の蓋体の形状が、ドーム状であってもよい。
【考案の効果】
【００１０】
本考案のすべり防止ラベル付容器によれば、粘着剤層、紙層、ポリエチレン層の順で積層されてなるラベル（薄層）の粘着剤層側を容器本体の底部に貼着しているので、当該容器を複数段に積み上げて陳列しても、ラベルの摩擦力により、商品がすべり落ちることを防止することができる。
【００１１】
また、通常積み上げることが困難である商品（上面が丸みを帯びたドーム状の形状の容器からなるもの）でさえも、滑り落ちることなく２段ないしは３段に積み上げることが可能になり、より効率的に陳列することができる。
【００１２】
また、発泡素材によるドーナツ状の滑り止め素材に比べて、ラベルの表面全てにわたって商品説明のための文字等を表示することができることに加え、安価で提供することができる。
【考案を実施するための最良の形態】
【００１３】
つぎに、添付図面を参照しながら本考案のすべり防止ラベル付容器を以下に詳細に説明する。
【００１４】
図１は本考案のすべり防止ラベル付容器を説明するための説明図である。図２は図１のすべり防止ラベル付容器に貼着されるラベルの断面図である。図３は本考案のすべり防止ラベル付容器の使用状態を説明するための説明図である。
【００１５】
図４は本考案のすべり防止ラベル付容器の使用状態を説明するための説明図である。
【００１６】
本実施の形態のすべり防止ラベル付容器は、図１に示されるように、容器２とすべり防止ラベル１からなり、すべり防止ラベル１が容器の底部に設けられてなる。
【００１７】
図２は図１のすべり防止ラベル付容器に貼着されるラベルの断面図であり、すべり防止ラベル１はポリエチレン層１ａ、紙層１ｃ、粘着剤層１ｄからなり、容器に貼着される前は剥離紙３に貼着されている。なお、紙層１ｃに印刷１ｂが施されるのが好ましい。例えば、内容物の成分や使用方法などの商品説明や、製造元や問い合わせ先の連絡先などの情報を印刷により表示することができる。すべり防止ラベルの形状は、商品説明等の文字を印刷するスペースを確保する観点および加工の容易性の観点から円形や四角形が好ましいが、これらの形状に限られるものではない。
【００１８】
ポリエチレン層１ａの厚さは、２０μｍ〜３００μｍが好ましい。ポリエチレン層１ａは透明であることが好ましいが、半透明であっても構わない。通常のラベルに使用される素材であるポリエステルやポリプロピレンと比較して、ポリエチレン層は摩擦力が強く、容器を積み重ねた状態でも安定させることができる。
紙層１ｃは、合成繊維紙、不織布等が使用されるが、これらに限定されるものではない。
【００１９】
粘着材層１ｄの材質は、例えばゴム系、アクリル系、シリコーン系粘着剤が採用される。
【００２０】
図１の容器２は、本体２ｂと、上面がドーム状に丸みを帯びた曲面からなる蓋体２ａからなり、蓋体２ａの下部内面に形成された雌螺子と本体２ｂの上部外面に形成された雄螺子とが螺着されることによって、本体２ｂと蓋体２ａが接合されるのであるが、本体２ｂと蓋体２ａの接合方法は、螺着に限定されることはなく、このほか、たとえば蓋を本体に圧入する方法など従来より公知の方法が適用される。また、容器２の材質も特に限定されないが、合成樹脂やガラス、金属が好適に用いられる。
【００２１】
容器２の形状は、略円筒状、多角柱等特に限定されない。
【００２２】
以下に本考案のすべり防止ラベル付容器を実施例にもとづいてさらに詳細に説明するが、本考案は実施例に限定されない。
【実施例】
【００２３】
通常、店内の棚に商品を陳列する際、スペース効率を考慮して、図３のように商品を重ねて陳列する。図３は、容器２を上下に２つ重ねたものであるが、店によっては陳列の効率を上げるため、容器２を上下に３つ重ねる場合もある。
【００２４】
ところが、図１のような形状をした容器を積み重ねると上の商品と下の商品との重心がずれていると上の商品がぐらつき、安定しない。
【００２５】
図４のような状態であると、通常の商品はすべり落ちてしまう。
本考案であるすべり防止ラベル付容器２を積み重ねた場合は図４のような状態であっても、ラベル１の摩擦力によりそのままの状態で安定するので、商品の陳列効率を上げることができる。
【００２６】
以下に本考案に係るすべり防止ラベル付容器に使用するラベルの静摩擦係数および従来品の静摩擦係数について比較試験を行なった結果を示す。
【００２７】
＜試験条件＞
１  試料
(1) ポリエチレン（本考案に使用）
相手材料：ＰＥＴ  ５０μ
(2) ＰＥＴ ５０μ（従来品）
相手材料：ＰＥＴ  ５０μ
【００２８】
２  試験方法
ＪＩＳ  Ｋ  ７１２５（プラスチック−フィルム及びシート−摩擦係数試験方法）に準拠
【００２９】
３  試験結果
0003133476.tif 000003
【００３０】
以上より、本考案で使用するラベルは従来品と比較し、顕著なすべり止め効果を有することがわかった。
【図面の簡単な説明】
【００３１】
【図１】本考案のすべり防止ラベル付容器の説明図である。
【図２】図１のすべり防止ラベル付容器に貼着されるラベルの断面図である。
【図３】本考案のすべり防止ラベル付容器の使用状態の説明図である。
【図４】本考案のすべり防止ラベル付容器の使用状態の説明図である。
【符号の説明】
【００３２】
１    すべり防止ラベル
１ａ  ポリエチレン層
１ｂ  印刷
１ｃ  紙材
１ｄ  粘着層
２    すべり防止ラベル付容器
２ａ  容器蓋体
２ｂ  容器本体
３    剥離紙
【図１】
0003133476.tif 000004
【図２】
0003133476.tif 000005
【図３】
0003133476.tif 000006
【図４】
0003133476.tif 000007